(57)【特許請求の範囲】
【請求項１】
複数の基地局装置に共通して割り当てられているとともに、移動局が在圏する基地局装置を検出する際に必ず受信する制御チャネル専用の複数の制御チャネルサブキャリアと、通信チャネル専用の複数の通信チャネルサブキャリアとが分離して設定されているマルチキャリアＣＤＭＡ  を用いる基地局装置であって、
少なくとも隣接する他の基地局装置に割り当てられていない制御チャネルサブキャリアが割り当てられる制御チャネル部と、
前記複数の通信チャネルサブキャリアを使用して通信データの通信を行う通信チャネル部とを備え、
前記通信チャネル部において、前記通信データは通信チャネル毎に固有の拡散符号により拡散され、拡散された並列のシンボルが、それぞれ前記通信チャネルサブキャリアにより送信されるようにしたことを特徴とする基地局装置。
【請求項２】
前記制御チャネル部において、制御データが制御チャネル固有の拡散符号により時間軸上で拡散されて、前記割り当てられた制御チャネルサブキャリアにより送信されるようにしたことを特徴とする請求項１記載の基地局装置。
【請求項３】
前記通信チャネル部において、前記通信データが通信チャネル毎に固有の拡散符号により周波数軸上で拡散されるようにしたことを特徴とする請求項１記載の基地局装置。
【請求項４】
前記通信チャネル部において、前記通信データが通信チャネル毎に固有の拡散符号により時間軸上で拡散されるようにしたことを特徴とする請求項１記載の基地局装置。
【請求項５】
複数の基地局装置に共通して割り当てられているとともに、移動局が在圏する基地局装置を検出する際に必ず受信する制御チャネル専用の複数の制御チャネルサブキャリアと、通信チャネル専用の複数の通信チャネルサブキャリアとが分離して設定されているマルチキャリアＣＤＭＡを用いる移動体通信網であって、
在圏する移動局の通信制御を行う複数の基地局を備えており、
該基地局には、少なくとも隣接する基地局に割り当てられている前記制御チャネルサブキャリアとは異なる周波数の前記制御チャネルサブキャリアが割り当てられており、前記基地局は、該割り当てられた前記制御チャネルサブキャリアを使用して、前記移動局との間において制御データの授受を行う制御チャネル部と、前記通信チャネルサブキャリアを使用して、前記移動局との間において通信データの授受を行う通信チャネル部とを備え、該通信チャネル部において、前記通信データは通信チャネル毎に固有の拡散符号により拡散され、拡散された並列のシンボルが、それぞれ前記通信チャネルサブキャリアにより送信されるようにしたことを特徴とする移動体通信網。
【請求項６】
前記基地局の前記制御チャネル部において、制御データが制御チャネル固有の制御チャネル拡散符号により時間軸上で拡散されて、前記割り当てられた制御チャネルサブキャリアにより送信されるようにしたことを特徴とする請求項５記載の移動体通信網。
【請求項７】
少なくとも隣接する他の基地局に割り当てられている前記制御チャネルサブキャリアと前記制御チャネル拡散符号との組み合わせとは、異なる組み合わせの前記制御チャネルサブキャリアと前記制御チャネル拡散符号とが、前記基地局に割り当てられていることを特徴とする請求項６記載の移動体通信網。
【請求項８】
前記通信チャネル部において、前記通信データが通信チャネル毎に固有の拡散符号により周波数軸上で拡散されるようにしたことを特徴とする請求項５記載の移動体通信網。
【請求項９】
前記通信チャネル部において、前記通信データが通信チャネル毎に固有の拡散符号により時間軸上で拡散されるようにしたことを特徴とする請求項５記載の移動体通信網。
【請求項１０】
前記制御チャネルにより、前記基地局に割り当てられて前記通信チャネルで用いられているロングコード情報を送信するようにしていることを特徴とする請求項５記載の移動体通信網。
【請求項１１】
複数の基地局装置に共通して割り当てられているとともに、移動局が在圏する基地局装置を検出する際に必ず受信する制御チャネル専用の複数の制御チャネルサブキャリアと、通信チャネル専用の複数の通信チャネルサブキャリアとが分離して設定されているマルチキャリアＣＤＭＡを用いる移動局であって、
受信可能な複数の前記制御チャネルサブキャリアを受信して、受信した前記制御チャネルサブキャリアから検出されたシンボルの受信電力を計測し、受信電力が最大となるシンボルに対応する前記制御チャネルサブキャリアが割り当てられているセルに在圏していると検出するセルサーチ手段を備えていることを特徴とする移動局。
【請求項１２】
前記セルサーチ手段により在圏していると検出されたセルに割り当てられている前記制御チャネルサブキャリアを復調することにより、前記通信チャネルで用いられている前記セル固有のロングコード情報を取得するようにしたことを特徴とする請求項１１記載の移動局。
【発明の詳細な説明】
【０００１】
【発明の属する技術分野】
本発明は、マルチキャリアＣＤＭＡを用いる移動局、移動体通信網および基地局装置に関する。
【０００２】
【従来の技術】
移動体通信網において、移動局のセルサーチ、着信制御、発信制御、ハンドオーバ等に必要な制御情報のやり取りは共通制御チャネルを用いて行われている。すなわち、移動体通信網において基地局と移動局間の通信制御を行うためには、移動局において在圏セルの共通制御チャネルを検出し、その受信信号を読み出す必要がある。ＩＭＴ−２０００（International Mobile Telecommunications 2000）における移動体通信網に採用されている直接拡散符号分割多重方式（ＤＳ−ＣＤＭＡ）は、拡散符号により送信信号をスペクトル拡散するとともに、互いに直交する異なる拡散符号（コード）をチャネル毎に用いることによりチャネルの多重化を行っている。ＤＳ−ＣＤＭＡ方式では、共通制御チャネルと通信チャネルは、基地局ごとに異なるロングコードとチャネルごとに異なるショートコードとを用いて同一の周波数帯に拡散されたチャネル構成をとっている。
【０００３】
【発明が解決しようとする課題】
このため、通信制御の基本となる共通制御チャネルの検出に際しては、在圏セルの基地局に割り当てられたロングコードを特定する必要があり、基地局ごとに異なるロングコードで拡散されている受信信号を逆拡散して、タイミングの検出および受信電力の測定を行う必要がある。このような受信処理を全ての基地局のロングコードに対して行い、測定された受信電力を比較した結果、最大受信電力となるロングコードを在圏セルの基地局に割り当てられたロングコードとして判定している。一般にＤＳ−ＣＤＭＡ方式では予め移動局でテーブル化されている複数の共通制御チャネルのロングコードのなかから、受信信号が拡散されているロングコードを探索することで、共通制御チャネルの検出を行うようにしている。また、Ｗ−ＣＤＭＡ（Wideband CDMA）方式では、処理時間を短縮する方法として、３段階セルサーチ法（3GPP RAN 3G TS 25.211 V3.2.0, March.2000）が標準化されている。また、ロングコードが同定された後、待ち受け時の共通制御チャネルの読み出し処理は、通信チャネルに比べ少ない情報伝送レートにもかかわらず、共通制御チャネルが通信チャネルと同一の周波数帯に拡散されたチャネル構成になっているため、通信チャネルと同様に広帯域信号の復調を行う必要があった。
【０００４】
このように、ＤＳ−ＣＤＭＡ方式では移動局にテーブル化されているロングコードから在圏セルのロングコードを探索し、共通制御チャネルの検出を行うようにしている。しかし、ロングコード探索における信号処理は複雑であると共に、その処理量も膨大となるため、テーブル化されているロングコードの数の増加に伴い、その処理量が増大することになる。また、３段階セルサーチ法はロングコードの探索は効率化されているが、その処理手順が複雑であった。さらに、ロングコードの同定後、待ち受け時のように常時または一定時間間隔（バッテリセーブモードのときなど）で共通制御チャネル信号の受信を行う場合、通信チャネルに対しわずかな情報量しか送信されていないにもかかわらず、同一周波数帯に拡散されて広帯域信号となっているため、受信信号の復調に必要な信号処理効率がきわめて低くなってしまっていた。
【０００５】
さらに、広帯域信号を符号分割多重する無線伝送方式として複数の搬送波を用いるマルチキャリアＣＤＭＡ（ＭＣ−ＣＤＭＡ）方式の検討がなされている。ここで、ＭＣ−ＣＤＭＡを移動体通信網に適用した際の基地局における送信部の構成の一例を図１２に示す。図１２に示す基地局の送信部において、共通制御チャネルは、例えば１チャンネルとされており通信チャネルはｍチャネルとされている。共通制御チャネルおよび通信チャネルの構成はほぼ同様とされており、共通制御チャネルの構成について説明する。共通制御チャネルＣＨａの制御データは第１乗算器１２１ａに供給され、第１乗算器１２１ａにおいて制御データに、拡散符号Ｃａの並列配置された各チップが乗算される。第１乗算器１２１ａから出力される並列の拡散シンボルのチップは、後述するようにそれぞれチップ毎に異なるサブキャリアにより伝送されるため、結果的に、制御データは周波数軸上で拡散されることになる。
【０００６】
第１乗算器１２１ａから出力されたチップが並列配置された拡散シンボルには、基地局固有のロングコードが第２乗算器１２２ａにおいて乗算される。第２乗算器１２２ａにおける入力および出力の並列数は同数とされる。そして、第２乗算器１２２ａから出力される拡散シンボルの並列配置された１番目のチップは合成器１２３ａに、２番目のチップは合成器１２３ｂに、３番目のチップは合成器１２３ｃに、・・・、最後のｐ番目のチップは合成器１２３ｋに供給される。また、合成器１２３ａ〜１２３ｋには、通信チャネル１〜通信チャネルｍにおける第２乗算器１２２ｂ〜１２２ｎから出力される拡散シンボルの並列配置されたチップがそれぞれ供給されている。このように、合成器１２３ａでは第２乗算器１２２ａ〜１２２ｎから出力される拡散シンボルの内の１番目のチップが合成され、同様にして合成器１２３ｂ〜１２３ｋでは第２乗算器１２２ａ〜１２２ｎから出力される拡散シンボルの２番目から最後のｐ番目のチップがそれぞれ合成されるようになる。なお、第２乗算器１２２ａ〜１２２ｎの並列出力数と、合成器１２３ａ〜１２３ｋの数とは同数のｐとされている。
【０００７】
合成器１２３ａ〜１２３ｋから並列に出力される合成シンボルのチップは、逆高速フーリエ変換部（ＩＦＦＴ）１１２において逆フーリエ変換されて送信信号とされる。すなわち、ＩＦＦＴ１１２においては、直交されているサブキャリアのそれぞれが合成シンボルのそれぞれの合成シンボルのチップで変調され、変調されたサブキャリアが合成されて送信信号とされる。なお、通信チャネル１〜通信チャネルｍにおいては、第１乗算器１２１ｂ〜１２１ｎおいてそれぞれ異なる拡散符号Ｃｂ〜Ｃｎにより周波数軸上において拡散されている。また、拡散符号Ｃａ〜Ｃｎは互いに直交するショートコードとされている。
【０００８】
図１２に示す基地局から送信される送信信号は、共通制御チャネルＣＨａと通信チャネル（１〜ｍ）ＣＨｂ〜ＣＨｎの合成信号とされ、例えば図１３に示すようにサブキャリアｆ１〜ｆｐからなる周波数帯域とされる。この場合、サブキャリアｆ１〜ｆｐのサブキャリア数ｐと、合成器１２３ａ〜１２３ｋの合成器数とは同数とされる。共通制御チャネルＣＨａと通信チャネルＣＨｂ〜ＣＨｎとは、それぞれ第１乗算器１２１ａ〜１２１ｎおいて周波軸上で互いに異なる拡散符号Ｃａ〜Ｃｎにより拡散されていることから、拡散符号（ＣＯＤＥ）−周波数（ｆ）−時間（ｔ）の３次元空間で示すと、共通制御チャネルＣＨａと通信チャネルＣＨｂ〜ＣＨｎからなる送信信号は、図１４に示すように拡散符号軸上に配列されたチャネル毎に異なる拡散符号Ｃａ〜Ｃｎにより周波数軸上で拡散されているものとして示すことができる。
【０００９】
また、基地局を複数備える移動体通信網においては、各基地局に割り当てられる共通制御チャネルの周波数を、少なくとも隣接する基地局の周波数とは異なるように割り当てる必要がある。そこで、図１２に示す構成の基地局を複数備える移動体通信網における各基地局に割り当てる共通制御チャネルの周波数割当の一例を図１５に示す。図１５に示すように、セル１においては共通制御チャネルに使用するサブキャリアの周波数はｆ１とされ、残るサブキャリア（ｆ２〜ｆｐ）が通信チャネル用のサブキャリアとされる。同様に、セル２〜セル８においては共通制御チャネルに使用するサブキャリアの周波数はｆ２〜ｆ８の１つとされ、各セルにおいて残るサブキャリアが通信チャネル用のサブキャリアとされる。なお、この例は８セル繰り返しの周波数割当の例とされている。
【００１０】
ところで、このようなＭＣ−ＣＤＭＡを用いる移動体通信網においては、動画等の高速伝送の実現が想定されているため、使用される周波数帯域は数十ＭＨｚもの広帯域が想定されている。すると、ＭＣ−ＣＤＭＡを用いる移動体通信網においては、共通制御チャネルをサーチするためにさらに広帯域とされている周波数帯域の信号処理を行わなければならないという問題点があった。この場合、例えば時間多重された１ＭＣ−ＣＤＭＡ信号や符号多重された１ＭＣ−ＣＤＭＡなどのように従来と同様のチャネル構成を用いたり、Ｗ−ＣＤＭＡ方式で標準化された３段階セルサーチ法をＭＣ−ＣＤＭＡに適用する（花田他  信学会ソサイエティ大会  Ｂ−５−４９  ２００１年９月）ようにしても、共通制御チャネル信号処理量の大幅な増大、消費電力の増加、処理遅延の増加を引き起こし、通信品質に大きな影響を与えるおそれがあった。
【００１１】
そこで、本発明は、移動体通信網にＭＣ−ＣＤＭＡを適用した際に共通制御チャネル信号処理量の大幅な増大や、消費電力の増加、処理遅延の増加を引き起こすことがない移動局、基地局装置および移動体通信網を提供することを目的としている。
【００１２】
【課題を解決するための手段】
上記目的を達成するために、本発明の基地局装置は、制御チャネル専用の複数の制御チャネルサブキャリアと、通信チャネル専用の複数の通信チャネルサブキャリアとが分離して設定されているマルチキャリアＣＤＭＡを用いる基地局装置であって、少なくとも隣接する他の基地局装置に割り当てられていない制御チャネルサブキャリアが割り当てられている制御チャネル部と、前記複数の通信チャネルサブキャリアを使用して通信データの通信を行う通信チャネル部とを備え、前記通信チャネル部において、前記通信データは通信チャネル毎に固有の拡散符号により拡散され、拡散された並列のシンボルが、それぞれ前記通信チャネルサブキャリアにより送信されるようにしている。
【００１３】
また、上記本発明の基地局装置において、前記制御チャネル部において、制御データが制御チャネル固有の拡散符号により時間軸上で拡散されて、前記割り当てられた制御チャネルサブキャリアにより送信されるようにしてもよい。
さらに、上記本発明の基地局装置において、前記通信チャネル部において、前記通信データが通信チャネル毎に固有の拡散符号により周波数軸上で拡散されるようにしてもよい。
さらにまた、上記本発明の基地局装置において、前記通信チャネル部において、前記通信データが通信チャネル毎に固有の拡散符号により時間軸上で拡散されるようにしてもよい。
【００１４】
次に、上記目的を達成することのできる移動体通信網は、制御チャネル専用の複数の制御チャネルサブキャリアと、通信チャネル専用の複数の通信チャネルサブキャリアとが分離して設定されているマルチキャリアＣＤＭＡを用いる移動体通信網であって、在圏する移動局の通信制御を行う複数の基地局を備えており、該基地局には、少なくとも隣接する基地局に割り当てられている前記制御チャネルサブキャリアとは異なる周波数の前記制御チャネルサブキャリアが割り当てられており、前記基地局は、該割り当てられた前記制御チャネルサブキャリアを使用して、前記移動局との間において制御データの授受を行う制御チャネル部と、前記通信チャネルサブキャリアを使用して、前記移動局との間において通信データの授受を行う通信チャネル部とを備え、該通信チャネル部において、前記通信データは通信チャネル毎に固有の拡散符号により拡散され、拡散された並列のシンボルが、それぞれ前記通信チャネルサブキャリアにより送信されるようにしている。
【００１５】
また、上記本発明の移動体通信網において、前記基地局の前記制御チャネル部において、制御データが制御チャネル固有の制御チャネル拡散符号により時間軸上で拡散されて、前記割り当てられた制御チャネルサブキャリアにより送信されるようにしてもよい。
さらに、上記本発明の移動体通信網において、少なくとも隣接する他の基地局に割り当てられている前記制御チャネルサブキャリアと前記制御チャネル拡散符号との組み合わせとは、異なる組み合わせの前記制御チャネルサブキャリアと前記制御チャネル拡散符号とが、前記基地局に割り当てられていてもよい。
さらにまた、上記本発明の移動体通信網において、前記基地局の前記制御チャネル部において、制御データが制御チャネル固有の制御チャネル拡散符号により時間軸上で拡散されて、前記割り当てられた制御チャネルサブキャリアにより送信されるようにしてもよい。
さらにまた、上記本発明の移動体通信網において、前記通信チャネル部において、前記通信データが通信チャネル毎に固有の拡散符号により時間軸上で拡散されるようにしてもよい。
さらにまた、上記本発明の移動体通信網において、前記制御チャネルにより、前記基地局に割り当てられて前記通信チャネルで用いられているロングコード情報を送信するようにしてもよい。
次に、上記目的を達成することのできる本発明の移動局は、制御チャネル専用の複数の制御チャネルサブキャリアと、通信チャネル専用の複数の通信チャネルサブキャリアとが分離して設定されているマルチキャリアＣＤＭＡを用いる移動局であって、受信可能な複数の前記制御チャネルサブキャリアを受信して、受信した前記制御チャネルサブキャリアから検出されたシンボルの受信電力を計測し、受信電力が最大となるシンボルに対応する前記制御チャネルサブキャリアが割り当てられているセルに在圏していると検出するセルサーチ手段を備えている。さらに、上記本発明の移動局において、前記セルサーチ手段により在圏していると検出されたセルに割り当てられている前記制御チャネルサブキャリアを復調することにより、前記通信チャネルで用いられている前記セル固有のロングコード情報を取得するようにしてもよい。
【００１６】
このような本発明によれば、マルチキャリアＣＤＭＡにおけるサブキャリアとして制御チャネル専用の制御チャネルサブキャリアと通信チャネル専用の通信チャネルサブキャリアとを分離して設けて、この制御チャネルサブキャリアを基地局に割り当てるようにしている。このため、セルサーチ等を行う際には、通信チャネルサブキャリアの信号処理を行うことなく制御チャネルサブキャリアの信号処理だけを行えばよく、信号処理量を大幅に低減することができる。このため、消費電力を削減することができ携帯移動局の電池動作時間を長時間にすることができると共に処理遅延を極力なくすことができるようになる。この場合、制御データを制御用の拡散符号により時間軸上で拡散することができる。このようにすると、制御チャネルサブキャリアの周波数と制御用の拡散符号との組み合わせを、基地局毎に異ならせることができ、基地局相互間の干渉量を低減することができる。
【００１７】
【発明の実施の形態】
本発明の移動体通信網における本発明の実施の形態にかかる基地局装置は、複数のサブキャリアを用いるＭＣ−ＣＤＭＡを採用している。この複数のサブキャリアは、制御チャネル専用のサブキャリアと通信チャネル専用のマルチキャリアとに分離されて構成されている。例えば、図２に示すように制御チャネル専用のサブキャリアとしてｆ１，ｆ２，ｆ３，ｆ４の４つの制御チャネルサブキャリアが用意されており、通信チャネル専用のサブキャリアとしてｆａ，ｆｂ，・・・・，ｆｋのＳ個の通信チャネルサブキャリアが別々に用意されている。すなわち、図２に示す例では総サブキャリア数は（４＋Ｓ）個とされている。ここで、本発明にかかるマルチキャリアＣＤＭＡ（ＭＣ−ＣＤＭＡ）を適用した基地局装置における送信部の構成の概要を図１に示す。
【００１８】
図１に示す基地局装置の送信部は、例えば１チャネルの共通制御チャネルＣＨｃｃを備える制御チャネル部１０と、チャネル１〜通信チャネルｍのｍチャネルの通信チャネルを備える通信チャネル部１１と、逆高速フーリエ変換部（ＩＦＦＴ）１２とを備えている。制御チャネル部１０には制御チャネル専用の制御チャネルサブキャリアｆ１〜ｆ４の内の１つのサブキャリアが割り当てられている。通信チャネル部１１においては、通信チャネル１〜通信チャネルｍのデータがそれぞれチャネル固有の拡散符号により拡散されて合成され、並列数Ｓの合成シンボルとして出力されている。制御チャネル部１０から制御データレートで出力されるシンボルと、通信チャネル部１１から合成シンボルレートで並列に出力されるＳ個の合成シンボルとは、逆高速フーリエ変換部（ＩＦＦＴ）１２に供給されて逆フーリエ変換されることにより送信信号とされている。すなわち、ＩＦＦＴ１２においては、制御チャネル部１０から出力されるシンボルによりｆ１〜ｆ４の内の基地局に割り当てられている１つのサブキャリアが変調され、通信チャネル部１１から並列されて出力されるＳ個の各々のシンボルによりｆａ〜ｆｋのＳ個の互いに直交する通信チャネルサブキャリアのそれぞれが変調され、変調された（１＋Ｓ）個のサブキャリアが合成されて送信信号とされている。
【００１９】
図２に示すように、サブキャリアの総数をＭとすると、Ｍ＝（４＋Ｓ）となり、ｆ１〜ｆ４の共通制御チャネルサブキャリアのサブキャリア数をＮｃｃとすると、ｆａ〜ｆｋの通信チャネルサブキャリアのサブキャリア数Ｓは、Ｓ＝（Ｍ−Ｎｃｃ）となる。ここで、通信チャネル部１１において通信チャネル１〜通信チャネルｍにおけるチャネル固有の拡散符号を拡散符号Ｃａ〜Ｃｎとすると、拡散符号Ｃａ〜Ｃｎのそれぞれの拡散符号により通信チャネル１〜通信チャネルｍのそれぞれの入力データが拡散されるようになる。この場合、拡散符号Ｃａ〜Ｃｎは互いに直交する符号とされていると共に、拡散符号Ｃａ〜Ｃｎにより周波数軸上で拡散されるものとする。この場合には、拡散符号（ＣＯＤＥ）−周波数（ｆ）−時間（ｔ）で示す３次元空間は、図３に示すように表される。すなわち、周波数ｆ軸上においてｆ１〜ｆ４の制御チャネルサブキャリアと、ｆａ〜ｆｋの通信チャネルサブキャリアとに分けて配置されており、拡散符号Ｃａ〜Ｃｎのチップが周波数軸上に配置されて周波数軸上で拡散されていることが示されている。また、拡散符号軸上に通信チャネル１〜通信チャネルｍをチャネル毎に拡散している拡散符号Ｃａ〜Ｃｎが並んでおり、時間軸上に制御データレートおよび合成シンボルレートで、制御データおよび合成シンボルが並んでいることが示されている。なお、図３に示す例では共通制御チャネルＣＨｃｃには、制御チャネルサブキャリアｆ１が割り当てられている。
【００２０】
本発明においては、制御チャネル専用の制御チャネルサブキャリアを設定するようにしている。移動体通信網における複数の基地局（セル）にそれぞれ割り当てる共通制御チャネルの割当態様は、例えば図４に示すようになる。すなわち、セル１においては共通制御チャネルに使用するサブキャリアｆ１を割り当て、サブキャリアｆ２〜ｆ４は使用しない。同様に、セル２においては共通制御チャネルに使用するサブキャリアｆ２を割り当て、サブキャリアｆ１，ｆ３，ｆ４は使用しない。さらに、セル３においては共通制御チャネルに使用するサブキャリアｆ３を割り当て、サブキャリアｆ１，ｆ２，ｆ４は使用しない。さらにまた、セル４においては共通制御チャネルに使用するサブキャリアｆ４を割り当て、サブキャリアｆ１〜ｆ３は使用しない。なお、セル１ないしセル４において通信チャネル専用の通信チャネルサブキャリアｆａ〜ｆｋが通信チャネル用の共通のサブキャリアとされる。このように、制御チャネル用サブキャリアとして４波設定した際には、図４に示す４セル繰り返しの周波数割り当てとすることができる。
【００２１】
上記したように、基地局から送信される共通制御チャネルの制御データは、制御チャネル専用のサブキャリアのいずれかを用いて送信されるようになる。このため、移動局がセルサーチ等を行う場合には制御チャネル専用のサブキャリアだけを受信して、その受信信号の信号処理を行えばよいことになる。現実的には、サブキャリアの総数Ｍは１０００ないし２０００のオーダとされるものと考えられ、この場合には制御チャネル専用のサブキャリア数Ｎｃｃは数十とされると考えられるため、全てのサブキャリアにおける信号処理を行う場合に比較して信号処理量を大幅に低減することができる。
【００２２】
次に、図１に示す本発明にかかる基地局装置の送信部の第１の構成例を図５に示す。
図５に示す基地局の送信部において、共通制御チャネルＣＨｃｃは、例えば１チャンネルとされており通信チャネルは通信チャネル１〜通信チャネルｍのｍチャネルとされている。制御チャネル部１０においては、制御データの操作を行うことなくそのまま逆高速フーリエ変換部（ＩＦＦＴ）１２に制御データを出力している。通信チャネル部１１における通信チャネル１〜通信チャネルｍの構成は同様とされており、通信チャネル１（ＣＨａ）の構成について説明する。通信チャネル１の通信データはシリアル−パラレル変換器（Ｓ／Ｐ）２０ａに供給されて並列数ｒの通信データとされる。この場合、通信チャネルサブキャリア数をＳとして、チャネル固有の拡散符号のコード長（処理利得）をＰＧｃｈとすると、並列数ｒはｒ＝Ｓ／ＰＧｃｈとなる。並列数ｒの通信データは第１乗算器２１ａに供給され、第１乗算器２１ａにおいてｒの通信データのそれぞれに、通信チャネル１固有の拡散符号Ｃａの並列配置された各チップが乗算される。拡散符号Ｃａのコード長をＰＧｃｈとすると、第１乗算器２１ａからはｒの並列数とされた拡散シンボルが出力され、それぞれの拡散シンボルはＰＧｃｈの並列配置されたチップから構成される。第１乗算器２１ａから出力される並列の拡散シンボルのチップは、後述するようにそれぞれ拡散シンボルおよびチップ毎に異なるサブキャリアにより伝送されるため、結果的に、拡散シンボルは拡散符号Ｃａにより周波数軸上で拡散されている拡散シンボルとなる。
【００２３】
第１乗算器２１ａから出力されたｒ個並列の拡散シンボルは第２乗算器２２ａに供給され、第２乗算器２２ａにおいてＳチップづつ切り出されて並列とされている基地局固有のロングコードが乗算される。第２乗算器２２ａにおける入力および出力の並列数は同数とされ、ｒ個並列の拡散シンボルが出力される。なお、第１乗算器２１ａの並列出力数をＳとすると、Ｓ＝（ｒ×ＰＧｃｈ）となることから、第２乗算器２２ａの並列出力数もＳとなる。そして、第２乗算器２２ａから出力される拡散シンボルの内の１番目のチップは合成器２３ａに、２番目のチップは合成器２３ｂに、３番目のチップは合成器２３ｃに、・・・、最後のｋ番目のチップは合成器２３ｋに供給される。合成器２３ａ〜２３ｋには、通信チャネル１〜通信チャネルｍにおける第２乗算器２２ｂ〜２２ｎから出力される拡散シンボルのチップがそれぞれ供給される。このように、合成器２３ａでは第２乗算器２２ａ〜２２ｎから出力される拡散シンボルの１番目のチップが合成され、同様にして合成器２３ｂ〜２３ｋでは第２乗算器２２ａ〜２２ｎから出力される拡散シンボルの内の２番目からｋ番目のチップがそれぞれ合成されるようになる。なお、合成器２３ａ〜２３ｋの数は第２乗算器２２ａ〜２２ｎの並列出力数Ｓと同数とされる。
【００２４】
合成器２３ａ〜２３ｋから並列に出力されるＳ個のチップが並列配置されている合成シンボルは、共通制御チャネルＣＨｃｃの制御データと共に逆高速フーリエ変換部（ＩＦＦＴ）１２において逆フーリエ変換されて送信信号とされる。この場合、ＩＦＦＴ１２においては、共通制御チャネルＣＨｃｃの制御データには、例えば制御チャネルサブキャリアｆ１が割り当てられ、Ｓ個のチップが並列配置されている合成シンボルにはＳ個の通信チャネルサブキャリアｆａ〜ｆｋが割り当てられる。これにより、制御データにより制御チャネルサブキャリアｆ１が変調され、並列配置されているＳ個のチップにより互いに直交するＳ個のサブキャリアのそれぞれが変調され、変調された（１＋Ｓ）個のサブキャリアがＩＦＦＴ１２において合成されて送信信号とされる。
図５に示す送信部においては、制御チャネルＣＨｃｃから送信される制御データはロングコードで拡散されていないため、その受信信号処理は簡易な処理とすることができる。
【００２５】
図５に示す基地局の送信部から送信される送信信号は、共通制御チャネルＣＨｃｃと通信チャネル（１〜ｍ）ＣＨａ〜ＣＨｎの合成信号とされ、図２に示すようにサブキャリアｆ１〜ｆｋの周波数帯域とされる。この場合には、拡散符号（ＣＯＤＥ）−周波数（ｆ）−時間（ｔ）で示す３次元空間は、図３に示すように表される。すなわち、周波数ｆ軸上においてｆ１〜ｆ４の制御チャネルサブキャリアと、ｆａ〜ｆｋの通信チャネルサブキャリアとに分けて配置されており、拡散符号Ｃａ〜Ｃｎのチップが周波数軸上に配置されて周波数軸上で拡散されていることが示されている。また、拡散符号軸上に通信チャネル１〜通信チャネルｍをチャネル毎に拡散している拡散符号Ｃａ〜Ｃｎが並んでおり、時間軸上に制御データレートおよび合成シンボルレートで、制御データおよび合成シンボルが並んでいることが示されている。なお、図３に示す例では共通制御チャネルＣＨｃｃには、制御チャネルサブキャリアｆ１が割り当てられている。
【００２６】
次に、図１に示す本発明にかかる基地局装置の送信部の第２の構成例を図６に示す。
図６に示す基地局の送信部において、共通制御チャネルＣＨｃｃは、例えば１チャンネルとされており通信チャネルは通信チャネル１〜通信チャネルｍのｍチャネルとされている。制御チャネル部１０において、制御データは乗算器４５において制御チャネル用の拡散符号Ｃ０が乗算されて拡散される。この場合、制御データは時間軸上で拡散される。すなわち、拡散符号Ｃ０の符号長ＰＧｃｃを４とすると、乗算器４５から出力される拡散制御シンボルは時間軸上に配置された４チップから構成されるようになる。乗算器４５から出力される制御データを拡散した拡散制御シンボルは逆高速フーリエ変換部（ＩＦＦＴ）１２に出力される。
【００２７】
通信チャネル部１１における通信チャネル１〜通信チャネルｍの構成は同様とされており、通信チャネル１（ＣＨａ）の構成について説明する。通信チャネル１の通信データはシリアル−パラレル変換器（Ｓ／Ｐ）４０ａに供給されて並列数ｒの通信データとされる。この場合、通信チャネルサブキャリア数をＳとして、チャネル固有の拡散符号のコード長（処理利得）をＰＧｃｈとすると、並列数ｒはｒ＝Ｓ／ＰＧｃｈとなる。並列数ｒの通信データは第１乗算器４１ａに供給され、第１乗算器４１ａにおいてｒの通信データのそれぞれに、通信チャネル１固有の拡散符号Ｃａの並列配置された各チップが乗算される。拡散符号Ｃａのコード長をＰＧｃｈとすると、第１乗算器４１ａからはｒの並列数とされた拡散シンボルが出力され、それぞれの拡散シンボルはＰＧｃｈの並列配置されたチップから構成される。第１乗算器４１ａから出力される並列の拡散シンボルのチップは、後述するようにそれぞれ拡散シンボルおよびチップ毎に異なるサブキャリアにより伝送されるため、結果的に、拡散シンボルは拡散符号Ｃａにより周波数軸上で拡散されている拡散シンボルとなる。
【００２８】
第１乗算器２１ａから出力されたｒ個並列の拡散シンボルは、合成器４３ａ〜４３ｋに供給されてチップ毎に合成される。すなわち、第１乗算器４１ａから出力される拡散シンボルの内の１番目のチップは合成器４３ａに、２番目のチップは合成器４３ｂに、３番目のチップは合成器４３ｃに、・・・、最後のｋ番目のチップは合成器４３ｋに供給される。合成器４３ａ〜４３ｋには、通信チャネル１〜通信チャネルｍにおける第１乗算器４１ｂ〜４１ｎから出力される拡散シンボルのチップがそれぞれ供給される。このように、合成器４３ａでは第１乗算器４１ａ〜４１ｎから出力される拡散シンボルの１番目のチップが合成され、同様にして合成器４３ｂ〜４３ｋでは第１乗算器４１ａ〜４１ｎから出力される拡散シンボルの内の２番目からｋ番目のチップがそれぞれ合成されるようになる。なお、合成器４３ａ〜４３ｋの数は第１乗算器４１ａ〜４１ｎの並列出力数Ｓと同数とされる。合成器４３ａ〜４３ｋから出力された並列出力数Ｓの合成シンボルは、第２乗算器４４に供給され、第２乗算器４４においてＳチップづつ切り出されて並列とされている基地局固有のロングコードがそれぞれのチップに乗算される。第２乗算器４４における入力および出力の並列数は同数とされ、ｒ個並列の拡散シンボルが出力される。なお、第１乗算器４１ａの並列出力数をＳとすると、Ｓ＝（ｒ×ＰＧｃｈ）となることから、第２乗算器４４の並列出力数もＳとなる。
【００２９】
第２乗算器４４から並列に出力されるＳ個のチップが並列配置されている合成シンボルは、共通制御チャネルＣＨｃｃの拡散制御シンボルと共にＩＦＦＴ１２において逆フーリエ変換されて送信信号とされる。この場合、ＩＦＦＴ１２においては、共通制御チャネルＣＨｃｃの拡散制御シンボルには、例えば制御チャネルサブキャリアｆ２が割り当てられ、Ｓ個のチップが並列配置されている合成シンボルにはＳ個の通信チャネルサブキャリアｆａ〜ｆｋが割り当てられる。これにより、拡散制御シンボルにより制御チャネルサブキャリアｆ２が変調され、並列配置されているＳ個のチップにより互いに直交するＳ個のサブキャリアのそれぞれが変調され、変調された（１＋Ｓ）個のサブキャリアがＩＦＦＴ１２において合成されて送信信号とされる。
【００３０】
図６に示す基地局の送信部から送信される送信信号は、共通制御チャネルＣＨｃｃと通信チャネル（１〜ｍ）ＣＨａ〜ＣＨｎの合成信号とされ、サブキャリアｆ２〜ｆｋの周波数帯域とされる。この場合には、拡散符号（ＣＯＤＥ）−周波数（ｆ）−時間（ｔ）で示す３次元空間は、図７に示すように表される。すなわち、時間軸ｔ上に制御チャネル用のコード長ＰＧｃｃの拡散符号Ｃ０のチップが配置されて制御データが時間軸上で拡散されていることが示されている。また、周波数ｆ軸上においてｆ１〜ｆ４の制御チャネルサブキャリアと、ｆａ〜ｆｋの通信チャネルサブキャリアとに分けて配置されており、拡散符号Ｃａ〜Ｃｎのチップが周波数軸上に配置されて周波数軸上で拡散されていることが示されている。また、拡散符号軸上に通信チャネル１〜通信チャネルｍをチャネル毎に拡散している拡散符号Ｃａ〜Ｃｎが並んでおり、時間軸上に拡散制御シンボルレートおよび合成シンボルレートで、拡散制御シンボルおよび合成シンボルが並んでいることが示されている。なお、図７に示す例では共通制御チャネルＣＨｃｃには、制御チャネルサブキャリアｆ２が割り当てられている。
図６に示す送信部においても、共通制御チャネルＣＨｃｃから送信される制御データはロングコードで拡散されていないため、その受信信号処理は簡易な処理とすることができる。
【００３１】
次に、図１に示す本発明にかかる基地局装置の送信部の第３の構成例を図８に示す。
図８に示す基地局の送信部において、共通制御チャネルＣＨｃｃは、例えば１チャンネルとされており通信チャネルは通信チャネル１〜通信チャネルｍのｍチャネルとされている。制御チャネル部１０においては、制御データの操作を行うことなくそのまま逆高速フーリエ変換部（ＩＦＦＴ）１２に制御データを出力している。通信チャネル部１１における通信チャネル１〜通信チャネルｍの構成は同様とされており、通信チャネル１（ＣＨａ）の構成について説明する。通信チャネル１の通信データはシリアル−パラレル変換器（Ｓ／Ｐ）３０ａに供給されて並列数Ｓの通信データとされる。この並列数Ｓは、通信チャネルサブキャリア数をＳと同数とされる。そして、並列数Ｓの通信データは第１乗算器３１ａに供給され、第１乗算器３１ａにおいて通信データのそれぞれに、通信チャネル１固有の拡散符号Ｃａの各チップが時間軸上で乗算される。拡散符号Ｃａのコード長をＰＧｃｈとすると、図８に示すように第１乗算器３１ａからは時間軸上に配列されたチップ数ＰＧｃｈの拡散シンボルが、並列出力数Ｓで出力される。すなわち、拡散符号Ｃａにより並列とされたＳ個の通信データのそれぞれが時間軸上で拡散されるようになる。
【００３２】
第１乗算器３１ａから出力されたＳ個並列の拡散シンボルは、合成器３３ａ〜３３ｋに供給されてチップ毎に合成される。すなわち、第１乗算器３１ａから出力されるＳ個並列とされた内の１番目の拡散シンボルの１番目のチップは合成器３３ａに、２番目の拡散シンボルの１番目のチップは合成器３３ｂに、３番目の拡散シンボルの１番目のチップは合成器３３ｃに、・・・、Ｓ番目の拡散シンボルの１番目のチップは合成器４３ｋに供給される。合成器３３ａ〜３３ｋには、通信チャネル１〜通信チャネルｍにおける第１乗算器３１ｂ〜３１ｎから出力される拡散シンボルのチップが同様にそれぞれ供給される。このように、合成器３３ａでは第１乗算器３１ａ〜３１ｎから出力される１番目ないしＳ番目の拡散シンボルにおける１番目のチップが合成され、同様にして合成器３３ｂ〜３３ｋでは第１乗算器３１ａ〜３１ｎから出力される１番目ないしＳ番目の拡散シンボルにおける２番目ないしｋ番目のチップがそれぞれ合成されるようになる。なお、合成器３３ａ〜３３ｋの数は拡散シンボルの並列数Ｓと同数とされる。合成器３３ａ〜３３ｋから出力された並列出力数Ｓの合成シンボルは、第２乗算器３４に供給され、第２乗算器３４においてＳチップづつ切り出されて並列とされている基地局固有のロングコードがそれぞれの拡散シンボルに乗算される。第２乗算器３４における入力および出力の並列数は同数とされ、Ｓ個並列の拡散シンボルが出力される。
【００３３】
第２乗算器３４から並列に出力されるＳ個の並列配置されている合成シンボルは、共通制御チャネルＣＨｃｃの制御データと共にＩＦＦＴ１２において逆フーリエ変換されて送信信号とされる。この場合、ＩＦＦＴ１２においては、共通制御チャネルＣＨｃｃの制御データには、例えば制御チャネルサブキャリアｆ３が割り当てられ、Ｓ個が並列配置されている合成シンボル毎にＳ個の通信チャネルサブキャリアｆａ〜ｆｋがそれぞれ割り当てられる。これにより、拡散制御シンボルにより制御チャネルサブキャリアｆ３が変調され、並列配置されているＳ個の合成シンボルにより互いに直交するＳ個のサブキャリアのそれぞれが変調され、変調された（１＋Ｓ）個のサブキャリアがＩＦＦＴ１２において合成されて送信信号とされる。
図８に示す送信部においても、共通制御チャネルＣＨｃｃから送信される制御データはロングコードで拡散されていないため、その受信信号処理は簡易な処理とすることができる。
【００３４】
図８に示す基地局の送信部から送信される送信信号は、共通制御チャネルＣＨｃｃと通信チャネル（１〜ｍ）ＣＨａ〜ＣＨｎの合成信号とされ、サブキャリアｆ３〜ｆｋの周波数帯域とされる。この場合には、拡散符号（ＣＯＤＥ）−周波数（ｆ）−時間（ｔ）で示す３次元空間は、図９に示すように表される。すなわち、周波数ｆ軸上においてｆ１〜ｆ４の制御チャネルサブキャリアと、ｆａ〜ｆｋの通信チャネルサブキャリアとに分けて配置されており、拡散符号Ｃａ〜Ｃｎのチップが時間軸ｔ上に配置されて時間軸上で拡散されていることが示されている。また、拡散符号軸上に通信チャネル１〜通信チャネルｍをチャネル毎に拡散している拡散符号Ｃａ〜Ｃｎが並んでおり、時間軸上に制御データレートおよび合成シンボルレートで、制御データおよび合成シンボルが並ぶことが示されている。なお、図９に示す例では共通制御チャネルＣＨｃｃには、制御チャネルサブキャリアｆ３が割り当てられている。
【００３５】
次に、移動体通信網における複数の基地局（セル）に制御チャネルサブキャリアとロングコードとを割り当てる態様を、図１０および図１１に示す。
図１０に示す割当態様は、図５あるいは図８に示す基地局の送信部とされた際の４セル繰り返しの割当態様とされ、セル１においては共通制御チャネルに使用する制御チャネルサブキャリアｆ１とロングコードｆ（ｃ１）が割り当てられ、制御チャネルサブキャリアｆ２〜ｆ４は使用しない。同様に、セル２においては共通制御チャネルに使用する制御チャネルサブキャリアｆ２とロングコードｆ（ｃ２）が割り当てられ、制御チャネルサブキャリアｆ１，ｆ３，ｆ４は使用しない。さらに、セル３においては共通制御チャネルに使用する制御チャネルサブキャリアｆ３とロングコードｆ（ｃ３）が割り当てられ、制御チャネルサブキャリアｆ１，ｆ２，ｆ４は使用しない。さらにまた、セル４においては共通制御チャネルに使用する制御チャネルサブキャリアｆ４とロングコードｆ（ｃ４）が割り当てられ、制御チャネルサブキャリアｆ１〜ｆ３は使用しない。
【００３６】
さらに、セル５においては共通制御チャネルに使用する制御チャネルサブキャリアｆ１とロングコードｆ（ｃ５）が割り当てられ、制御チャネルサブキャリアｆ２〜ｆ４は使用しない。同様に、セル６においては共通制御チャネルに使用する制御チャネルサブキャリアｆ２とロングコードｆ（ｃ６）が割り当てられ、制御チャネルサブキャリアｆ１，ｆ３，ｆ４は使用しない。さらに、セル７においては共通制御チャネルに使用する制御チャネルサブキャリアｆ３とロングコードｆ（ｃ７）が割り当てられ、制御チャネルサブキャリアｆ１，ｆ２，ｆ４は使用しない。さらにまた、セル８においては共通制御チャネルに使用する制御チャネルサブキャリアｆ４とロングコードｆ（ｃ８）が割り当てられ、制御チャネルサブキャリアｆ１〜ｆ３は使用しない。なお、セル１ないしセル４において通信チャネル専用の通信チャネルサブキャリアｆａ〜ｆｋが通信チャネル用の共通のサブキャリアとされる。このように、制御チャネル用サブキャリアとして４波設定した際には、図１０に示す４セル繰り返しで制御チャネルサブキャリアとロングコードとを割り当てることができる。
【００３７】
また、図１１に示す割当態様は図６に示す基地局の送信部とされた際の４セル繰り返しの割当態様とされ、セル１においては共通制御チャネルに使用する制御チャネルサブキャリアｆ１と制御チャネル用の拡散コードｃ１、およびロングコードｆ（ｃ１）が割り当てられ、制御チャネルサブキャリアｆ２〜ｆ４は使用しない。同様に、セル２においては共通制御チャネルに使用する制御チャネルサブキャリアｆ２と制御チャネル用の拡散コードｃ１、ロングコードｆ（ｃ２）が割り当てられ、制御チャネルサブキャリアｆ１，ｆ３，ｆ４は使用しない。さらに、セル３においては共通制御チャネルに使用する制御チャネルサブキャリアｆ３と制御チャネル用の拡散コードｃ１、ロングコードｆ（ｃ３）が割り当てられ、制御チャネルサブキャリアｆ１，ｆ２，ｆ４は使用しない。さらにまた、セル４においては共通制御チャネルに使用する制御チャネルサブキャリアｆ４と制御チャネル用の拡散コードｃ１、ロングコードｆ（ｃ４）が割り当てられ、制御チャネルサブキャリアｆ１〜ｆ３は使用しない。
【００３８】
さらに、セル５においては共通制御チャネルに使用する制御チャネルサブキャリアｆ１と制御チャネル用の拡散コードｃ２、ロングコードｆ（ｃ５）が割り当てられ、制御チャネルサブキャリアｆ２〜ｆ４は使用しない。同様に、セル６においては共通制御チャネルに使用する制御チャネルサブキャリアｆ２と制御チャネル用の拡散コードｃ２、ロングコードｆ（ｃ６）が割り当てられ、制御チャネルサブキャリアｆ１，ｆ３，ｆ４は使用しない。さらに、セル７においては共通制御チャネルに使用する制御チャネルサブキャリアｆ３と制御チャネル用の拡散コードｃ２、ロングコードｆ（ｃ７）が割り当てられ、制御チャネルサブキャリアｆ１，ｆ２，ｆ４は使用しない。さらにまた、セル８においては共通制御チャネルに使用する制御チャネルサブキャリアｆ４と制御チャネル用の拡散コードｃ２、ロングコードｆ（ｃ８）が割り当てられ、制御チャネルサブキャリアｆ１〜ｆ３は使用しない。このような繰り返しで制御チャネルサブキャリアと制御チャネル用の拡散コード、およびロングコードとが割り当てられる。なお、セル１ないしセル４において通信チャネル専用の通信チャネルサブキャリアｆａ〜ｆｋが通信チャネル用の共通のサブキャリアとされる。このように、４セル繰り返しの周波数割り当て態様においては、図１１に示すように制御チャネル用の拡散コードは４セル共通に割り当てることができる。
【００３９】
次に、複数のサブキャリアが、制御チャネル専用のサブキャリアと通信チャネル専用のマルチキャリアとに分離されて構成されている本発明の移動通信網において、移動局が行うセルサーチ処理について説明する。このセルサーチ処理により、少なくとも在圏する基地局と通信チャネルにおいて使用されるロングコード情報とを移動局は得ることができる。
１．セルサーチ処理を行う際には、移動局は基地局から送信されている信号ｆ（ｔｎ）を受信する。この信号ｆ（ｔｎ）には、移動局が受信可能な複数の基地局から送信されている信号が混在しており、制御チャネルの信号および通信チャネルの信号とがＭＣ−ＣＤＭＡされている信号とされている。
２．次いで、あらかじめ既知である共通制御チャネルの全てのサブキャリア、図２に示す例ではｆ１，ｆ２，ｆ３，ｆ４についてのみＮサンプルずつ複数回にわたりＤＦＴ処理を行う。すなわち、次に示す（１）〜（４）式の演算を複数回ずつ繰り返し行う。
【数１】
0003955485.tif 000002
【００４０】
３．算出されたＣ（１），Ｃ（２），Ｃ（３），Ｃ（４）は、それぞれのサブキャリアが割り当てられている基地局から送信された信号成分であり、その複素シンボルの電力のアンサンブル平均＜｜Ｃ（１）｜2＞，＜｜Ｃ（２）｜2＞，＜｜Ｃ（３）｜2＞，＜｜Ｃ（４）｜2＞を求めて、アンサンブル平均が最大値となるサブキャリアを検出する。ここで、アンサンブル平均＜｜Ｃ（２）｜2＞が最大値であるならば、サブキャリアｆ２が割り当てられている基地局のセルに移動局が在圏していると検出される。すなわち、サブキャリアｆ２が移動局が在圏するセルの共通制御チャネルとなる。
４．検出された共通制御チャネルのサブキャリアの復調を行い、制御情報を読み出す。この場合、予め移動通信網から共通制御チャネルに割り当てられているサブキャリアが拡散処理されていると報知されている場合は、予め共通制御チャネル用に用意されている複数の拡散符号を使用して、受信された共通制御チャネルのサブキャリアにそれぞれ逆拡散処理を行い、その中から相関値が高い拡散符号を探索する。次いで、探索された拡散符号を用いて逆拡散したサブキャリアの復調を行うことにより制御情報を読み出す。
５．共通制御チャネルで報知された通信チャネルで用いられているロングコード情報を検出する。
このように、セルサーチ処理を行って在圏するセルの共通制御情報の読み出しを可能とすることにより、ロングコードの探索を行うことなく、通信チャネルのロングコードを知ることができるようになる。
【００４１】
上記の説明においては、制御チャネルサブキャリア数をｆ１〜ｆ４の４つとしたが、本発明はこれに限るものではなく任意の数の制御チャネルサブキャリアを独立して設定することができる。また、制御チャネル部１０における制御チャネル用の拡散コード長ＰＧｃｃを４としたが、本発明はこれに限るものではなく任意の拡散コード長とすることができる。さらに、基地局毎に複数の共通制御チャネルが必要となる場合は、各基地極毎に複数の制御チャネルサブキャリアを割り当てるようにすればよい。
【００４２】
【発明の効果】
本発明は以上説明したように、マルチキャリアＣＤＭＡにおけるサブキャリアとして制御チャネル専用の制御チャネルサブキャリアと通信チャネル専用の通信チャネルサブキャリアとを分離して設けて、この制御チャネルサブキャリアを基地局に割り当てるようにしている。このため、セルサーチ等を行う際には、通信チャネルサブキャリアの信号処理を行うことなく制御チャネルサブキャリアの信号処理だけを行えばよく、信号処理量を大幅に低減することができる。さらに、制御データはロングコードで拡散されていないことから、制御サブチャネルの信号処理量をより低減することができる。このため、消費電力を削減することができ携帯移動局の電池動作時間を長時間にすることができると共に処理遅延を極力なくすことができるようになる。この場合、制御データを制御用の拡散符号により時間軸上で拡散することができる。このようにすると、制御チャネルサブキャリアの周波数と制御用の拡散符号との組み合わせを、基地局毎に異ならせることができ、基地局相互間の干渉量を低減することができる。
【図面の簡単な説明】
【図１】本発明の実施の形態にかかるマルチキャリアＣＤＭＡを適用した基地局装置における送信部の構成の概要を示す図である。
【図２】本発明の実施の形態にかかる移動体通信網におけるサブキャリアの構成例を示す図である。
【図３】本発明の実施の形態にかかる基地局装置における拡散符号、周波数、時間の相互の関係を示す図である。
【図４】本発明の実施の形態にかかる移動体通信網における複数の基地局（セル）にそれぞれ割り当てる共通制御チャネルの割当態様を示す図である。
【図５】本発明の実施の形態にかかる基地局装置の送信部の第１の構成例を示す図である。
【図６】本発明の実施の形態にかかる基地局装置の送信部の第２の構成例を示す図である。
【図７】本発明の実施の形態にかかる第２の構成例の基地局装置における拡散符号、周波数、時間の相互の関係を示す図である。
【図８】本発明の実施の形態にかかる基地局装置の送信部の第３の構成例を示す図である。
【図９】本発明の実施の形態にかかる第３の構成例の基地局装置における拡散符号、周波数、時間の相互の関係を示す図である。
【図１０】本発明の実施の形態にかかる移動体通信網における複数の基地局にそれぞれ割り当てる共通制御チャネルとロングコードの割当態様を示す図である。
【図１１】本発明の実施の形態にかかる移動体通信網における複数の基地局にそれぞれ割り当てる共通制御チャネルとロングコードの他の割当態様を示す図である。
【図１２】ＭＣ−ＣＤＭＡを移動体通信網に適用した際の基地局における送信部の構成の一例を示す図である。
【図１３】ＭＣ−ＣＤＭＡを移動体通信網に適用した際のサブキャリアの構成例を示す図である。
【図１４】ＭＣ−ＣＤＭＡを移動体通信網に適用した際の基地局装置における拡散符号、周波数、時間の相互の関係を示す図である。
【図１５】ＭＣ−ＣＤＭＡを移動体通信網に適用した際の複数の基地局にそれぞれ割り当てる共通制御チャネルの割当態様を示す図である。
【符号の説明】
１０  制御チャネル部、１１  通信チャネル部、２１ａ〜２１ｎ  第１乗算器、２２ａ〜２２ｎ  第２乗算器、２３ａ〜２３ｋ  合成器、３１ａ〜３１ｎ  第１乗算器、３３ａ〜３３ｋ  合成器、３４  第２乗算器、４１ａ〜４１ｎ  第１乗算器、４３ａ〜４３ｋ  合成器、４４  第２乗算器、４５  乗算器、１２１ａ〜１２１ｎ  第１乗算器、１２２ａ〜１２２ｎ  第２乗算器、１２３ａ〜１２３ｋ合成器
【図１】
0003955485.tif 000003
【図２】
0003955485.tif 000004
【図３】
0003955485.tif 000005
【図４】
0003955485.tif 000006
【図５】
0003955485.tif 000007
【図６】
0003955485.tif 000008
【図７】
0003955485.tif 000009
【図８】
0003955485.tif 000010
【図９】
0003955485.tif 000011
【図１０】
0003955485.tif 000012
【図１１】
0003955485.tif 000013
【図１２】
0003955485.tif 000014
【図１３】
0003955485.tif 000015
【図１４】
0003955485.tif 000016
【図１５】
0003955485.tif 000017